(57)【特許請求の範囲】
【請求項１】
固定部材と、この固定部材に対して移動可能とした移動部材とのいずれか一方に本体が設けられ、この本体におけるデッドボルトが、前記固定部材と移動部材との他方に設けた係合部に進入することにより、前記移動部材を施錠状態としうるようにした施錠装置において、
前記本体が、
前記固定部材と移動部材とのいずれか一方と一体としたベースと、
前記係合部に進入する施錠位置と、前記係合部から離脱する解錠位置とに移動可能として、前記ベースに設けられた前記デッドボルトと、
前記ベースに設けられた操作手段と、
前記操作手段の操作により、施錠位置と解錠位置とに回動させられるようにした回動アームと、
前記ベースに枢着され、一部が前記デッドボルトに連係され、かつ他部の側縁に、前記回動アームの先端部が当接し、前記回動アームの解錠位置から施錠位置への回動により、前記他部の側縁が前記回動アームの先端部により押動されて回動させられ、前記デッドボルトを解錠位置から施錠位置へ移動させ、前記回動アームが施錠位置に達したとき、前記回動アームとほぼ直角をなし、前記デッドボルトが施錠位置から解錠位置へ移動する方向への回動が、前記回動アームによって阻止されるようにした回動リンク
とを備えていることを特徴とする施錠装置。
【請求項２】
回動アームの先端部を、回動リンクの回動面と直角をなす板状とし、前記回動アームが解錠位置から施錠位置へ回動する際には、板状の先端部の側縁により、前記回動リンクを押動し、前記回動アームが施錠位置に達したときは、板状の先端部の平面が、前記回動リンクの他部の側縁に面接触するようにした請求項１記載の施錠装置。
【請求項３】
回動アームにおける板状の先端部の平面に、パッド材を設けた請求項２記載の施錠装置。
【請求項４】
ベースに、デッドボルトを施錠位置から解錠位置へ移動する方向に付勢する付勢手段を設けた請求項１〜３のいずれかに記載の施錠装置。
【請求項５】
操作手段を、複数のダイヤルと回動アームを施錠位置と解錠位置とに回動させる摘まみとを備え、ダイヤルの数値が設定した数値に合致したときだけ、前記摘まみの施錠位置から解錠位置への操作を可能としたダイヤル錠とした請求項１〜４のいずれかに記載の施錠装置。
【発明の詳細な説明】
【技術分野】
【０００１】
本発明は、キャビネットやロッカーの筐体等の固定部材に対して、キャビネットの引出しやロッカーの扉等の移動部材を、閉止状態で施錠するようにした施錠装置に関する。
【背景技術】
【０００２】
従来のこの種の施錠装置としては、キャビネットにおける上框の前面に設けたシリンダ錠にキーを挿入して回動させることにより、シリンダ錠の後端に設けた作動ピンを上方に移動させ、その作動ピンによって、上框内に設けた左右方向を向く揺動板の前部を後部に対して上向き回動させ、それに伴って、揺動板の両端の前部に係止された上下方向を向く左右１対の昇降杆を上昇させて、上下方向に並ぶ複数の引出しを、同時に施錠するようにしたものがある(例えば特許文献１参照)。
【０００３】
また、キャビネットの引出しの前面板に、ダイヤルと摘みとを備えるダイヤル錠を設け、これの操作により、施錠部材を引出しの側面より進退させて、引出しを筐体に施錠するようにしたものもある(例えば特許文献２参照)。
【０００４】
さらに、収納装置の引出しの前面板にダイヤル錠を設け、これの操作により、ダイヤル錠のケーシングからレバーを進退させて、ハンドル操作を空振りさせる施錠状態と、ハンドル操作を有効にする解錠状態とに切り替え可能とするとともに、ダイヤル錠のケーシングから突出するリセット杆を、引出しの閉止状態と引出し状態とを検出する作動体と連係し、この作動体の作動により、リセット杆を移動させて、ダイヤル錠を非照合状態にリセットしうるようにしたものもある(例えば特許文献３参照)。
【先行技術文献】
【特許文献】
【０００５】
【特許文献１】特開平８−２７５８３２号公報
【特許文献２】特開２０１１−１３２７６７号公報
【特許文献３】国際公開ＷＯ２００９／０９０９８１  Ａ１
【発明の概要】
【発明が解決しようとする課題】
【０００６】
上述のような従来の施錠装置においては、引出し等の移動部材から外部に露呈することのある昇降杆(特許文献１)、施錠部材(特許文献２)、作動部材(特許文献３)に、大きな外力が作用すると、その力が施錠装置内の構成部材に伝達されて、構成部材が破損させられるおそれがある。
特に、ダイヤル錠を用いたものでは、その機構部が複雑であるため、それに大きな外力が作用した場合、機構部が破損するおそれが大である。
【０００７】
本発明は、従来の技術が有する上記のような問題点に鑑みてなされたもので、外部に露呈することがあるデッドボルトに外力が作用したとき、その外力が内部の機構に伝達されるのを、簡単な構造をもって阻止することができ、もって、外力による内部機構の破損を防止しうるようにした施錠装置を提供することを目的としている。
【課題を解決するための手段】
【０００８】
本発明によると、上記課題は、次のようにして解決される。
（１）固定部材と、この固定部材に対して移動可能とした移動部材とのいずれか一方に本体が設けられ、この本体におけるデッドボルトが、前記固定部材と移動部材との他方に設けた係合部に進入することにより、前記移動部材を施錠状態としうるようにした施錠装置において、前記本体が、前記固定部材と移動部材とのいずれか一方と一体としたベースと、前記係合部に進入する施錠位置と、前記係合部から離脱する解錠位置とに移動可能として、前記ベースに設けられた前記デッドボルトと、前記ベースに設けられた操作手段と、前記操作手段の操作により、施錠位置と解錠位置とに回動させられるようにした回動アームと、前記ベースに枢着され、一部が前記デッドボルトに連係され、かつ他部の側縁に、前記回動アームの先端部が当接し、前記回動アームの解錠位置から施錠位置への回動により、前記他部の側縁が前記回動アームの先端部により押動されて回動させられ、前記デッドボルトを解錠位置から施錠位置へ移動させ、前記回動アームが施錠位置に達したとき、前記回動アームとほぼ直角をなし、前記デッドボルトが施錠位置から解錠位置へ移動する方向への回動が、前記回動アームによって阻止されるようにした回動リンクとを備えるものとする。
【０００９】
このような構成によると、デッドボルトが施錠位置に位置している状態で、デッドボルトに、それを解錠位置方向に移動させようとする外力が働くと、それに伴って、回動リンクが解錠位置方向へ回動しようとするが、このとき、回動リンクの他部の側縁には、回動アームの先端部が、直角をなすようにして当接しているので、回動リンクのモーメントは、回動アームの長手方向のみに作用し、回動方向への分力は発生しない。
したがって、回動アームの枢軸の強度さえ十分に保っておけば、デッドボルトに作用する外力が、施錠装置の内部の機構に伝達されることはなく、外力による内部機構の破損を防止することができる。
しかも、施錠時に、回動リンクと回動アームとがほぼ直角に当接するようにするという簡単な構造のみで、外力による内部機構の破損を防止できるので、実用上の便益が大である。
【００１０】
（２）上記(１)項において、回動アームの先端部を、回動リンクの回動面と直角をなす板状とし、前記回動アームが解錠位置から施錠位置へ回動する際には、板状の先端部の側縁により、前記回動リンクを押動し、前記回動アームが施錠位置に達したときは、板状の先端部の平面が、前記回動リンクに面接触するようにする。
【００１１】
このような構成によると、施錠状態のとき、回動アームの先端部が、回動リンクに面接触するので、デッドボルトに外力が作用したときの回動リンクのモーメントを、回動アームの先端部で強力に受け止めることができる。
【００１２】
（３）上記(２)項において、回動アームにおける板状の先端部の平面に、パッド材を設ける。
【００１３】
このような構成によると、パッド材が緩衝材および消音材として作用し、デッドボルトに外力が作用したときの衝撃を緩和することができるとともに、騒音の発生を抑制することができる。
【００１４】
（４）上記(１)〜(３)項のいずれかにおいて、ベースに、デッドボルトを施錠位置から解錠位置へ移動する方向に付勢する付勢手段を設ける。
【００１５】
このような構成によると、回動アームが解錠位置へ回動させられたとき、デッドボルトおよび回動リンクを、確実に解錠位置へ復帰させることができる。
したがって、デッドボルトを、横向き、または下向き等として実施することも可能となる。
【００１６】
（５）上記(１)〜(４)項のいずれかにおいて、操作手段を、複数のダイヤルと回動アームを施錠位置と解錠位置とに回動させる摘まみとを備え、ダイヤルの数値が設定した数値に合致したときだけ、前記摘まみの施錠位置から解錠位置への操作を可能としたダイヤル錠とする。
【００１７】
このような構成によると、デッドボルトに作用する外力が、ダイヤル錠における複数のダイヤルの複雑な内部機構に伝達されることはなくなるので、内部機構の破損を防止することができる。
【発明の効果】
【００１８】
本発明によると、外部に露呈することがあるデッドボルトに外力が作用したとき、その外力が内部の機構に伝達されるのを、簡単な構造をもって阻止することができ、もって、外力による内部機構の破損を防止しうるようにした施錠装置を提供することができる。
【図面の簡単な説明】
【００１９】
【図１】本発明の施錠装置の第１の実施形態を備えるキャビネットの解錠状態における正面図である。
【図２】図１のII−II線における拡大縦断側面図である。
【図３】図２のIII−III線において見た縦断背面図である。
【図４】施錠状態としたときの、図３と同様の縦断背面図である。
【図５】キャビネットにおける同時引き出し防止機構兼施錠装置の筐体側の機構のみを示す分解斜視図である。
【図６】本発明の施錠装置の第２実施形態を備えるキャビネットにおける、図２と同様の縦断側面図である。
【発明を実施するための形態】
【００２０】
以下、本発明の施錠装置の実施形態を、図面を参照して説明する。
図１〜図５は、本発明の施錠装置の第１の実施形態を備えるキャビネットの一例を示す。
図１に示すように、このキャビネットは、前面が開口する筐体１内に、上下３段の引出し２、３、４を、前方に引き出し可能として装着したものよりなっている。
【００２１】
筐体１は、図１〜図５に示すように、天板５と、左右の両側板６、６と、後面板(図示略)と、底板(図示略)とを備えている。
天板５の前端部には、天板５の前端から垂下する前片７ａと、前片７ａの下端から後方を向く折返し片７ｂとを備える上框７が形成されている。
【００２２】
筐体１内には、特許文献１である特開平８−２７５８３２号公報に記載されている同時引き出し防止機構兼施錠装置におけるシリンダ錠を除く構成と同様の構成が設けられている。
換言すると、筐体１内には、図２および図５に示すように、天板５の下面における上框７の後方に固着した側面視ほぼ下向コ字状をなす左右方向を向くブラケット８と、このブラケット８内に配設され、側面視ほぼ上向コ字状をなす左右方向を向く基片９ａの後端上部の複数個所より後方に向けて突出する複数の突片９ｂを、ブラケット８の後片８ａに設けた複数の係合孔１０に嵌合し、かつ各突片９ｂに設けた左右方向に長い係合孔９ｃを、ブラケット８における各係合孔１０の下縁中央より上向き突設した正面視Ｔ状をなす係合片１０ａ、１０ａ(左右両側のもの)および正面視倒立Ｌ字状をなす係合片１０ｂ(中央のもの)に嵌合係止させることにより、図２に実線で示すほぼ水平をなす解錠位置と、図２に想像線で示す前上向きに傾斜する施錠位置とに、突片９ｂの係合孔９ｃと係合片１０ａ、１０ｂとの嵌合部を回動中心として、上下方向に回動可能とした揺動板９と、左右の側板６、６の内側面に設けた上下方向を向く凹溝１１内に上下方向に摺動可能として嵌合され、上端部に設けた係合孔１２に、揺動板９における基片９ａの左右の両端前部より外側方に向かって突出する突片９ｄを嵌合することにより、揺動板９が施錠位置へ回動させられたとき、上昇させられて施錠位置となり、かつ揺動板９が解錠位置へ回動させられたとき、下降させられて解錠位置となるようにした左右１対の昇降杆１３、１３とが設けられている。
【００２３】
各昇降杆１３の内面には、各引出し２、３、４の側面より突設した突子１４(最上段の引出し２の右方のもののみを、図５に２点鎖線で示す)が挿入しうるようにした前下向き傾斜する傾斜溝１５を内側面に設けた直方体状の案内片１６が、各引出し２、３、４の側面に対向するようにして設けられている。
【００２４】
揺動板９が施錠位置へ回動させられ、各昇降杆１３が施錠位置まで引き上げられている状態で、いずれの引出し２、３、４を引き出そうとしても、それらの側面に突設した突子１４が、対応する案内片１６の後端面に当接して、引き出すことはできない。この状態が施錠状態である。
【００２５】
揺動板９が解錠位置へ回動させられ、各昇降杆１３が解錠位置まで下降させられている状態(この状態が解錠状態である)で、引出し２、３、４のいずれか(ここでは、引出し２)を引き出すと、その側面に突設した突子１４が、対応する案内片１６の傾斜溝１５に進入し、その傾斜溝１５を通過する間に、傾斜カムの作用により、左右の案内片１６、１６と昇降杆１３、１３とが、施錠位置まで押し上げられ、保持手段(図示略)によってその位置に保持され、その後は、引き出された引出し２以外の引出し３、４は、引き出し不能となる(同時引き出し防止)。
【００２６】
引き出された引出し２を、元の閉止位置まで戻すと、その途中で、その側面に突設した突子１４が、対応する案内片１６の傾斜溝１５に、上述とは逆の方向に進入し、その傾斜溝１５を通過する間に、傾斜カムの作用により、左右の案内片１６、１６と昇降杆１３、１３とが、上記保持手段の保持力に抗して、解錠位置まで押し下げられ、その後は、いずれの引出し２、３、４も、引き出し可能となる。
【００２７】
揺動板９の左右方向の中央より右方寄りの部分における基片９ａの前面と下面との角部には、係合孔１７が設けられている。
また、ブラケット８における前片８ｂには、上部の左右幅が係合孔１７の左右幅より小さく、下部の左右幅が係合孔１７の左右幅より大きい段状の切欠き１８が設けられており、この切欠き１８の下部の一部には、一端がブラケット８の下面(または天板５の下面)に固着され、かつ他端が上框７における折返し片７ｂの上方において前方に延出する側面視クランク形状のブラケット１９が配設されている。
このブラケット１９における上框７の折返し片７ｂの上方に位置する部分には、左右方向を向く回動板２０が、前後方向を向く枢軸２１ａを有する蝶番２１をもって枢着されている。
【００２８】
回動板２０の遊端部には、前後方向を向く軸２２が固着されている。
この軸２２の後端部は、揺動板９における係合孔１７に前方より進入し、回動板２０が上向き回動させられたとき、この軸２２の後端部をもって、揺動板９を施錠位置まで上向き回動させることができるようになっている。
【００２９】
図１に示すように、各引出し２、３、４における前面板２３のほぼ中央には、中央に手掛け用の凹部２４ａが設けられた正面形がほぼ正方形の取手２４が設けられており、この取手２４の凹部２４ａに指を挿入して、その上下左右のいずれの縁を手前に引いても、各引出し２、３、４に設けたラッチ(図示略)を解除して、各引出し２、３、４を引き出すことができるようになっているが、この機構は、本発明には直接関係しないので、それについての図示および詳細な説明は省略する。
【００３０】
最上段の引出し２の前面板２３には、固定部材である筐体１に対して、移動部材である引出し２を閉止状態で施錠する施錠装置２５の本体２６が設けられている。
この本体２６は、図２〜図４に示すように、前面板２３自体をなすベース２７と、引出し２が閉じているとき、上端が係合部である回動板２０の下面に当接して押上げ、軸２２を介して、揺動板９を施錠位置としうる施錠位置と、上端が回動板２０の下面から下方に離脱し、揺動板９を解錠位置としうる解錠位置とにほぼ上下方向に移動可能として、ベース２７に設けられた上下方向を向くデッドボルト２８と、ベース２７に設けた操作手段２９と、操作手段２９の操作により、施錠位置と解錠位置とに回動させられるようにした回動アーム３０と、中間部が、ベース２７の後面に固着したブラケット３１に前後方向を向く軸３２をもって枢着され、一端部が、デッドボルト２８の下端部に、前後方向を向く軸３３をもって連結され、かつ他端部の上縁に、回動アーム３０の先端部が当接し、回動アーム３０の解錠位置から施錠位置への回動により、デッドボルト２８を解錠位置から施錠位置へ押し上げるようにした回動リンク３４とを備えている。
【００３１】
ベース２７は、この例では前面板２３自体としてあるが、前面板２３に固着したケース(図示略)とし、このケースにデッドボルト２８、操作手段２９、回動アーム３０等を装着して実施することもある。
【００３２】
デッドボルト２８の中間部には、長手方向を向く長孔３５が設けられ、この長孔３５に、ブラケット３１に前後方向を向く軸３６をもって枢着したガイドローラ３７を回転自在に嵌合することにより、デッドボルト２８の中間部は、上下方向に移動可能、かつ軸３６回りに回動可能として案内されている。
【００３３】
操作手段２９は、この例では、図１に示すように、最上段の引出し２の前面板２３における右側部に設けたダイヤル錠３８としてある。
このダイヤル錠３８は、３個のダイヤル３９と、施錠位置と解錠位置とに回動可能とした１個の回転式の摘まみ４０とを備えている。
【００３４】
このダイヤル錠３８は、摘まみ４０を解錠位置とした状態で、３個のダイヤル３９を任意の３桁の数値に設定し、その状態で、摘まみ４０を施錠位置まで回動させると、３個のダイヤル３９がすべて０に復帰させられ、その後、３個のダイヤル３９を、先に設定した任意の数値に合わせたときだけ、摘まみ４０を解錠位置へ復帰回動させることができるようになっている。
なお、操作要領が、上記の要領と異なるダイヤル錠３８を使用することもできる。
【００３５】
図３および図４に示すように、ダイヤル錠３８の後面には、摘まみ４０と一体となって回動する操作軸４１が突出しており、この操作軸４１の後端部に、図３に示す解錠位置と、図４に示す施錠位置とに回動可能とした回動アーム３０の基端部が固着されている。
【００３６】
回動アーム３０の先端部３０ａは、回動リンク３４の回動面と直交するとともに、回動アーム３０の長手方向とも直交する板状としてあり、回動アーム３０が解錠位置から施錠位置へ回動する際には、板状の先端部３０ａの下縁により、回動リンク３４における軸３２より他端部側の上縁に当接して、この上縁を下向きに押動し、回動アーム３０が施錠位置に達したときは、図４に示すように、板状の先端部３０ａの板面(平面)３０ｂが、回動リンク３４における軸３２より他端部側の上縁に面接触し、このとき、回動アーム３０は、回動リンク３４に対してほぼ直角をなし、デッドボルト２８が施錠位置から解錠位置へ移動する方向への回動リンク３４の回動が、回動アーム３０によって阻止されるようになっている。
【００３７】
このとき、回動リンク３４のモーメントは、回動アーム３０の長手方向のみに作用し、回動方向への分力は発生しない。
したがって、回動アーム３０の枢軸である操作軸４１の強度さえ十分に保っておけば、施錠位置にあるデッドボルト２８に作用する外力が、施錠装置２５の内部の機構に伝達されることはなく、外力による内部機構の破損を防止することができる。
【００３８】
回動アーム３０における先端部３０ａの板面３０ｂには、緩衝材および消音材として作用するパッド材４２を設けておくのが好ましい。
このパッド材４２により、デッドボルト２８に外力が作用したときの衝撃を緩和することができるとともに、騒音の発生を抑制することができる。
【００３９】
ダイヤル錠３８の操作により、図４に示すように、回動アーム３０が施錠位置まで回動させられ、そのときの回動リンク３４の回動により、デッドボルト２８が施錠位置まで押し上げられると、その上端により、回動板２０が上向きに回動させられ、そのときの軸２２の上昇により、その後端部が係合孔１７に進入している揺動板９の前部が上向き回動させられて、上述したように、筐体１内の全引出し２、３、４は施錠状態となる。
【００４０】
回動リンク３４における軸３２と軸３３との中間位置と、ブラケット３１の下縁とには、回動リンク３４を介して、デッドボルト２８を解錠位置に向けて付勢する付勢手段である引張りコイルばね４３の上下の端部がそれぞれ係止されている。
【００４１】
したがって、ダイヤル錠３８の操作により、回動アーム３０が解錠位置まで回動させられると、引張りコイルばね４３の付勢力により、回動リンク３４は、図４に示す状態から図４における時計回りに回動させられ、デッドボルト２８は、図３に示す解錠位置まで下降させられ、その下端が、ブラケット３１の下部に後向突設した突片４４上に設けたストッパ４５に当接して停止させられる。
【００４２】
また、デッドボルト２８が、図３に示す解錠位置まで下降させられると、回動板２０は、自重により、ほぼ水平位置まで下向き回動し、回動板２０の下面に設けた弾性のストッパ４６が、上框７における折返し片７ｂの上面に当接して停止させられるようになっている。
【００４３】
回動板２０の下向き回動により、軸２２は下降し、揺動板９は解錠位置に復帰し、すべての引出し２、３、４は、選択的に引き出し可能となる。
【００４４】
引出し２における前面板２３の後面には、施錠装置２５の本体２６における構成部材を覆う裏面板が設けられているが、ここでは、図示を簡略化するため省略してある。
【００４５】
この施錠装置２５は、以上のような構成としてあるので、デッドボルト２８に作用する外力が、施錠装置２５の内部の機構に伝達されることはなく、外力による内部機構の破損を防止することができる。
しかも、施錠時に、回動リンク３４と回動アーム３０とがほぼ直角に当接するようにするという簡単な構造のみで、外力による内部機構の破損を防止できるので、実用上の便益が大である。
【００４６】
図６は、本発明の施錠装置の第２の実施形態を備えるキャビネットの一例を示す。なお、第１の実施形態におけるのと同一または類似の部材には、同一の符号を付して図示するに止め、それらについての詳細な説明は省略する。
第２の実施形態においては、筐体１の上框７における折返し片７ｂに係合孔５０を設け、これを本発明における固定部材に設けた「係合部」とし、この係合孔５０に、施錠位置としたときのデッドボルト２８の上端部が進入して、引出し２の引出しを不能とする施錠状態とするようにしてある。
このような構成とすると、構造をより簡素化することができる。
【００４７】
本発明は、上記実施形態のみに限定されるものではなく、特許請求の範囲を逸脱することなく、例えば、次のような変形した態様での実施が可能である。
(１)  施錠装置２５の本体２６を筐体１等の固定部材側に設け、デッドボルトが進入する係合部を、引出し等の移動部材側に設ける。
(２)  回動板２０および軸２２を省略し、デッドボルト２８の上端部を後方に向けて折曲し、その後端部を直接揺動板９の係合孔１７に進入しうるようにし、その後端部をもって、揺動板９を施錠位置に回動させる。
この場合には、揺動板９の係合孔１７が、本発明における固定部材に設けた「係合部」となる。
(３)  ダイヤル錠３８に代えて、シリンダ錠とする。
【産業上の利用可能性】
【００４８】
本発明は、キャビネットの引出しの施錠装置だけでなく、ロッカーの筐体に対する扉の施錠装置等のように、固定部材に対して、移動部材を閉止状態で施錠する、あらゆる施錠装置に適用することができる。
【符号の説明】
【００４９】
１  筐体(固定部材)
２、３、４  引出し(移動部材)
５  天板
６  側板
７  上框
７ａ前片
７ｂ折返し片
８  ブラケット
８ａ後片
８ｂ前片
９  揺動板
９ａ基片
９ｂ突片
９ｃ係合孔
９ｄ突片
１０  係合孔
１０ａ、１０ｂ  係合片
１１  凹溝
１２  係合孔
１３  昇降杆
１４  突子
１５  傾斜溝
１６  案内片
１７  係合孔
１８  切欠き
１９  ブラケット
２０  回動板(係合部)
２１  蝶番
２１ａ枢軸
２２  軸
２３  前面板
２４  取手
２４ａ凹部
２５  施錠装置
２６  本体
２７  ベース
２８  デッドボルト
２９  操作手段
３０  回動アーム
３０ａ先端部
３０ｂ板面(平面)
３１  ブラケット
３２、３３  軸
３４  回動リンク
３５  長孔
３６  軸
３７  ガイドローラ
３８  ダイヤル錠(操作手段)
３９  ダイヤル
４０  摘まみ
４１  操作軸
４２  パッド材
４３  引張りコイルばね
４４  突片
４５、４６  ストッパ
５０  係合孔(係合部)
【図１】
0006396759.tif 000002
【図２】
0006396759.tif 000003
【図３】
0006396759.tif 000004
【図４】
0006396759.tif 000005
【図５】
0006396759.tif 000006
【図６】
0006396759.tif 000007